(57)【要約】【課題】耐久性に優れ、取り扱いが容易で、ごみが大量に引っ掛かった場合でも所望の流量を確保することのできるごみ除去フィルターを提供する。【解決手段】流路の上流側に配置されるフィルター部材２と、フィルター部材の下流側に配置されてフィルター部材を保持する保持部材３とを備え、フィルター部材は、長短の突起２１、２２を交互に複数連続して配置して形成した波形突起部２３を、複数間隔を開けて面状に配置したフィルター部２４と、フィルター部の外周部に連続する枠体２７とを備え、保持部材は、フィルター部材の枠体の開口部２７ｄを覆いながら枠体を保持する保持部３１と、保持部に穿設された開口部３２を有して保持部から立設された筒状の流出部３３とを備えるごみ除去フィルター１。【選択図】図１
2014156720.tif 000002
【特許請求の範囲】
【請求項１】
流路の上流側に配置されるフィルター部材と、該フィルター部材の下流側に配置されて該フィルター部材を保持する保持部材とを備え、
前記フィルター部材は、長短の突起を交互に複数連続して配置して形成した波形突起部を、複数間隔を開けて面状に配置したフィルター部と、該フィルター部の外周部に連続する枠体とを備え、
前記保持部材は、前記フィルター部材の枠体の開口部を覆いながら該枠体を保持する保持部と、該保持部に穿設された開口部を有して該保持部から立設された筒状の流出部とを備えることを特徴とするごみ除去フィルター。
【請求項２】
前記フィルター部材の前記枠体の上面に取っ手を設け、該フィルター部材を前記保持部材に対して上下方向に取り外し可能としたことを特徴とする請求項１に記載のごみ除去フィルター。
【請求項３】
前記フィルター部材の枠体は、前記波形突起部の長短の突起の突出方向に延設された４つの壁面を有するフレーム状に形成され、該４つの壁面のうちの底面部に間隔を開けて配置された複数の開口を有することを特徴とする請求項１又は２に記載のごみ除去フィルター。
【発明の詳細な説明】
【技術分野】
【０００１】
本発明は、ごみ除去フィルターに関し、特に、雨水貯留槽の入口や排水溝等、浮遊するごみの多い流路に取り付けられるごみ除去フィルターに関する。
【背景技術】
【０００２】
従来、上記のようなごみが多く流れる溝には、ごみを取り除くフィルターが設けられている。例えば、特許文献１に記載のごみ除去フィルターは、片面に複数個の針状突起が設けられた支持枠が、針状突起を上流方向に向けて溝に取り付けられ、この支持枠に網が、支持枠の針状突起を網の目に貫通させて取り付けられる。支持枠及び網は、流体が流れる方向に対して略々直交する方向に、ごみが洩れないように溝に取り付けられる。
【先行技術文献】
【特許文献】
【０００３】
【特許文献１】実公平７−３５８９９号公報
【発明の概要】
【発明が解決しようとする課題】
【０００４】
しかし、上記従来のごみ除去フィルターは、特に樹脂等で形成した場合には、針状の突起の機械的強度が十分でなく、耐久性に劣るという問題がある。
【０００５】
また、網を支持枠から取り外す際には、針状の突起によって手にけがをするおそれがあると共に、網を流体の流れに逆らって移動させる必要があるため、取り扱いの面で改善の余地があった。
【０００６】
さらに、ごみが大量に針状突起に引っ掛かった場合には、流体の流路が狭くなり、所望の流量を確保することが困難になるおそれもあった。
【０００７】
そこで、本発明は上記従来のごみ除去フィルターにおける問題点に鑑みてなされたものであって、耐久性に優れ、取り扱いが容易で、ごみが大量に引っ掛かった場合でも所望の流量を確保することのできるごみ除去フィルターを提供することを目的とする。
【課題を解決するための手段】
【０００８】
上記目的を達成するため、本発明は、ごみ除去フィルターであって、流路の上流側に配置されるフィルター部材と、該フィルター部材の下流側に配置されて該フィルター部材を保持する保持部材とを備え、前記フィルター部材は、長短の突起を交互に複数連続して配置して形成した波形突起部を、複数間隔を開けて面状に配置したフィルター部と、該フィルター部の外周部に連続する枠体とを備え、前記保持部材は、前記フィルター部材の枠体の開口部を覆いながら該枠体を保持する保持部と、該保持部に穿設された開口部を有して該保持部から立設された筒状の流出部とを備えることを特徴とする。
【０００９】
本発明によれば、フィルター部材のフィルター部を、長短の突起を交互に複数連続して配置して形成した波形突起部で構成したため、長短の突起の先端部にごみが引っ掛かり、長短の突起の根元側のフィルター部の開口と、ごみとの間に流体通路を確保することができると共に、保持部の開口部からも流体を流入させることができるため、フィルター部が容易に閉塞せず、流量を確保しながらごみを除去することができる。
【００１０】
また、長短の突起を交互に複数連続して波形突起部を構成しているため、突起を針状に形成する場合に比較して機械的強度に優れると共に、フィルター部材に引っ掛かったごみを除去する作業を行う際の安全性が確保される。
【００１１】
上記ごみ除去フィルターにおいて、前記フィルター部材の前記枠体の上面に取っ手を設け、該フィルター部材を前記保持部材に対して上下方向に取り外し可能とすることができる。これによって、流体が流れる方向に対して略々直交する方向に持ち上げるだけでフィルター部材を容易に保持部材から取り外すことができる。
【００１２】
また、前記フィルター部材の枠体は、前記波形突起部の長短の突起の突出方向に延設された４つの壁面を有するフレーム状に形成され、該４つの壁面のうちの底面部に間隔を開けて配置された複数の開口を有すように構成することができ、この複数の開口からも流体を流入させることができ、ごみが大量にフィルター部に引っ掛かった場合でも所望の流量を維持することができる。
【発明の効果】
【００１３】
以上のように、本発明によれば、耐久性に優れ、取り扱いが容易で、ごみが大量に引っ掛かった場合でも所望の流量を確保することのできるごみ除去フィルターを提供することができる。
【図面の簡単な説明】
【００１４】
【図１】本発明に係るごみ除去フィルターを構成するフィルター部材と保持部材の各々の斜視図である。
【図２】図１に示すフィルター部材と保持部材とを組み合わせる途中の段階を示す斜視図である。
【図３】図１に示すフィルター部材と保持部材とを組み合わせてごみ除去フィルターを形成した状態を示す斜視図である。
【図４】フィルター部材を示す斜視図であって、（ａ）は波状突起の裏側から、（ｂ）は波状突起側から見た状態を示す。
【図５】フィルター部材を示す図であって、（ａ）は正面図、（ｂ）は底面図、（ｃ）は側面図である。
【図６】保持部材を示す斜視図であって、（ａ）は流出部の開口側から、（ｂ）は流出部側から見た状態を示す。
【図７】保持部材３を示す図であって、（ａ）は正面図、（ｂ）は底面図、（ｃ）は側面図である。
【図８】本発明に係るごみ除去フィルターの使用状態を示す概略斜視図である。
【図９】従来のごみ除去フィルターの一例を示す斜視図である。
【図１０】従来のごみ除去フィルターの他の例を示す斜視図である。
【発明を実施するための形態】
【００１５】
次に、本発明を実施するための形態について図面を参照しながら説明する。
【００１６】
図１〜図３は、本発明に係るごみ除去フィルターの一実施の形態を示し、このごみ除去フィルター１は、流路の上流側に配置されるフィルター部材２と、フィルター部材２の下流側に配置される保持部材３とを備え、これらを一体化することでごみ除去フィルター１が形成される。
【００１７】
フィルター部材２は、例えば樹脂で一体に成形され、図４及び図５に示すように、フィルター部２４と、フィルター部２４の外周部に連続する枠体２７とを備える。
【００１８】
フィルター部２４は、長短の突起２１、２２を交互に複数連続して配置して形成した波形突起部２３を、複数間隔を開けて面状に配置して構成され、隣接する波形突起部２３の間にはスリット３０が形成される。
【００１９】
枠体２７は、長短の突起２１、２２の突出方向に延設された４つの壁面を有するフレーム状に形成され、上面２７ａに取っ手２６と、突出部２７ｂが設けられる。フィルター部２４と枠体２７との間には複数のリブ２８、２９が直線状に突設される。下面２７ｃには、複数の開口２５が形成される。
【００２０】
保持部材３は、例えば樹脂で一体に成形され、図６及び図７に示すように、フィルター部材２の枠体２７の開口部２７ｄ（図５（ｃ）参照）を覆いながら枠体２７を保持する板状の保持部３１と、保持部３１に穿設された円形の開口部３２を有して保持部３１から立設された円筒状の流出部３３とを備える。
【００２１】
保持部３１は、全体的に矩形板状に形成され、両側面の縁部から曲折部３５が突出し、曲折部３５からはさらに内側に向かって案内部３４が一体に形成される。保持部３１には、保持部材３の全体を雨水貯留槽の入口等に取り付けるための丸孔３６、長孔３７〜３９、スリット３１ｃが穿設され、保持部３１と流出部３３との間には複数のリブ３１ａが突設される。
【００２２】
フィルター部材２と保持部材３とを組み立てるには、図１に示すように、保持部材３の上部の案内部３４と保持部３１との間にフィルター部材２の下端を挿入し、そのままフィルター部材２を下降させ、図２の状態を経て、フィルター部材２の突出部２７ｂを保持部材３の上端部３１ｂに当接させて組立てが完了する。組み立てられた状態が図３に示される。
【００２３】
ごみ除去フィルター１を使用するには、例えば、図８に示すように、保持部材３を丸孔３６等を用いて雨水貯留槽の入口配管５０等に装着し、保持部材３にフィルター部材２を装着するだけでよい。
【００２４】
次に、上記構成を有するごみ除去フィルター１と、図９及び図１０に示す従来の２つのごみ除去フィルターとの比較試験について説明する。
【００２５】
図９に示すごみ除去フィルターは、リング状の取付部６４と、半球状の網目からなるフィルター部６２と、取付部６４に設けられた装着部材６３からなり、配管等の端部開口を覆うように取付部６４を装着し、装着部材６３で配管等へごみ除去フィルター６１を固定する。
【００２６】
図１０示すごみ除去フィルターは、本発明に係るごみ除去フィルター１と同様に、流路の上流側に配置されるフィルター部材７３と、フィルター部材７３の下流側に配置される保持部材７２とを備え、これらを一体化することでごみ除去フィルター７１が形成される。このごみ除去フィルター７１が本発明に係るごみ除去フィルター１と異なるのは、フィルター部材７３であって、本発明では長短の突起２１、２２で波形突起部２３を形成し、複数の波形突起部２３の間に複数のスリット３０を形成したが、このごみ除去フィルター７１は、縦長のスリット７５が多数設けられている点である。スリット７５を通過した流体は、保持部材７２を通ってフィルター部材７３の反対側に流れ出る。
【００２７】
図８に示すようにごみ除去フィルター１をセットした水槽に水を貯めてごみを入れ、フィルターが目詰まりするまで水を足していき、その後一定の水位になるように調整し、このときの流水量（通水量）を３つのごみ除去フィルターで比較した。ごみには、浮くごみ(ビニール紐）、沈むごみ（草木の葉）の２種類を用い、合計で６通りの試験を行った。その結果は以下の通りである。
【００２８】
（１）浮くごみの場合
本発明に係るごみ除去フィルター１は、従来のごみ除去フィルター６１の１．７５倍、ごみ除去フィルター７１の１．２６倍の通水量であった。
（２）沈むごみの場合
本発明に係るごみ除去フィルター１は、従来のごみ除去フィルター６１の１．８５倍、ごみ除去フィルター７１の１．６１倍の通水量であった。
【００２９】
このように、本発明に係るごみ除去フィルター１は、従来のごみ除去フィルター６１、７１に比較して通水量を多く確保することができ、特に沈むごみに対して効果が大きい。
【符号の説明】
【００３０】
１  ごみ除去フィルター
２  フィルター部材
３  保持部材
２１  長い突起
２２  短い突起
２３  波形突起部
２４  フィルター部
２５  開口
２６  取っ手
２７  枠体
２７ａ  上面
２７ｂ  突出部
２７ｃ  下面
２７ｄ  開口部
２８、２９  リブ
３０  スリット
３１  保持部
３１ａ  リブ
３１ｂ  上端部
３１ｃ  スリット
３２  開口部
３３  流出部
３４  案内部
３５  曲折部
３６  丸孔
３７〜３９  長孔
５０  配管
【図１】
2014156720.tif 000003
【図２】
2014156720.tif 000004
【図３】
2014156720.tif 000005
【図４】
2014156720.tif 000006
【図５】
2014156720.tif 000007
【図６】
2014156720.tif 000008
【図７】
2014156720.tif 000009
【図８】
2014156720.tif 000010
【図９】
2014156720.tif 000011
【図１０】
2014156720.tif 000012